(57)【特許請求の範囲】
【請求項１】
開閉支点となる基端部同士または先端部同士が隣り合うように順次配設された、３枚以上の隣接する扉を備えた制御盤において、
いずれか一の基準扉には、通電状態では基準扉を閉じた状態にロックし、通電を解除しなければ基準扉のロックを解除することができないブレーカハンドルが取り付けられており、
各扉には、隣接する扉の基端部または先端部と隣り合う基端部または先端部に、双方の扉を閉じたときに相互に当接する当接部が設けられており、
基準扉以外の扉は、それぞれの扉に設けられた当接部が、基準扉側に隣接している扉に設けられた当接部と当接することによって、その開動作が阻止されるようになっていることを特徴とする制御盤。
【発明の詳細な説明】
【０００１】
【発明の属する技術分野】
この発明は、例えば、工作機械等に設置される制御盤、特に、通電状態を解除しなければ、扉を開くことができない制御盤に関する。
【０００２】
【従来の技術】
工作機械等に設置される制御盤は、扉によって前面を開閉することができる筐体内に、制御に必要なマグネットスイッチ、リレー、タイマの他、電源回路を遮断するメインブレーカ等を組み込んだものであり、筐体を開閉する扉は、安全性等を考慮して、メインブレーカによって電源回路が遮断された状態でなければ、開かないようにしておくことが望ましい。
【０００３】
例えば、１枚の扉によって筐体を開閉する小型の制御盤では、筐体内に組み込まれたメインブレーカによって電源回路を遮断しなければ扉を開くことができないブレーカハンドルを扉に取り付けておくことによって、また、通常、いずれか一方の扉を開かなければ他方の扉を開くことができないように構成されている観音開きの扉を有する制御盤では、同様のブレーカハンドルを、先に開かなければならない扉に取り付けておくことで、上述した目的を簡単に達成することができる。
【０００４】
一方、１組の観音開きの扉を含む３枚以上の扉によって筐体を開閉する大型の制御盤の場合、１組の観音開きの扉と、これに隣接する３枚目以降の扉とは、通常、連動しているわけではなく、１組の観音開きの扉の開閉状態に関係なく、これに隣接する３枚目以降の扉は自由に開閉することができるようになっているので、上述したように、ブレーカハンドルを取り付けた基準となる扉が開かなければ、他の扉が開かないようにするためには、ブレーカハンドルによって操作されるメインブレーカの状態を受けて作動する、ワイヤやロック棒等を組み合わせた特別な電動ロック装置を設置し、この電動ロック装置によって、ブレーカハンドルを取り付けた基準となる扉に連動して３枚目以降の扉をロックしたり、そのロックを解除したりする必要がある。
【０００５】
【発明が解決しようとする課題】
しかしながら、上述したように、特別な電動ロック装置を設置し、リモートコントロールにより、基準となる扉に連動して３枚目以降の扉をロックしたり、そのロックを解除するようにすると、制御盤自体のコストが高くなると共に、電動ロック装置の誤動作等により、ブレーカハンドルによって電源回路が遮断されていないにも拘わらず、３枚目以降の扉のロックが解除され、ブレーカハンドルを取り付けた扉が開かないにも拘わらず、それ以外の扉が開いてしまうといったおそれがある。
【０００６】
そこで、この発明の課題は、３枚以上の扉によって筐体を開閉する場合であっても、上述したような特別の電動ロック装置等を設けることなく、簡単な機構によって、電源回路が遮断されていない状態では、扉の開動作を確実に阻止することができる制御盤を提供することにある。
【０００７】
【課題を解決するための手段及びその効果】
上記の課題を解決するため、この発明は、開閉支点となる基端部同士または先端部同士が隣り合うように順次配設された、３枚以上の隣接する扉を備えた制御盤において、いずれか一の基準扉には、通電状態では基準扉を閉じた状態にロックし、通電を解除しなければ基準扉のロックを解除することができないブレーカハンドルが取り付けられており、各扉には、隣接する扉の基端部または先端部と隣り合う基端部または先端部に、双方の扉を閉じたときに相互に当接する当接部が設けられており、基準扉以外の扉は、それぞれの扉に設けられた当接部が、基準扉側に隣接している扉に設けられた当接部と当接することによって、その開動作が阻止されるようになっていることを特徴とする制御盤を提供するものである。
【０００８】
以上のように、この制御盤では、一の基準扉には通電を解除しなければその基準扉のロックを解除することができないブレーカハンドルが取り付けられており、しかも、その基準扉以外の扉は、それぞれの扉に設けられた当接部が、基準扉側に隣接している扉に設けられた当接部と当接することによって、その開動作が阻止されるようになっているので、ブレーカハンドルを操作して通電を解除することによって基準扉を開くと、その基準扉に隣接している扉に設けられた当接部と、基準扉に設けられた当接部との当接状態が解除され、基準扉に隣接した扉を開くことができる状態となる。
【０００９】
ここで、基準扉に隣接する扉を開くと、この扉に隣接している扉に設けられた当接部と、この扉に設けられた当接部との当接状態が解除され、この扉に隣接した扉を開くことができる状態となる。
【００１０】
つまり、この制御盤では、ブレーカハンドルによって電源回路を遮断して基準扉を開くと、基準扉側から順に隣接している扉を次々に開いていくことができるが、電源回路を遮断しない状態では、基準扉を開くことができないので、いずれの当接部に対する当接状態をも解除することができず、結局、いずれの扉を開くこともできないことになる。
【００１１】
以上のように、この制御盤では、扉の基端部や先端部に当接部を設けるといった簡単な構成によって、電源回路が遮断されていない状態における扉の開動作を確実に阻止することができるので、３枚目以降の扉のロック状態を、ブレーカハンドルを取り付けた基準扉のロック状態に連動させるために電動ロック装置を設置した従来の制御盤に比べて廉価に製造することができると共に、安全性に対する信頼性も向上する。
【００１２】
【発明の実施の形態】
以下、実施の形態について図面を参照して説明する。図１（ａ）、（ｂ）に示すように、この制御盤１は工作機械等に設置されるものであり、制御に必要なマグネットスイッチ、リレー、タイマの他、電源回路を遮断するメインブレーカ等が組み込まれた筐体１０と、この筐体１０の前面開口部を開閉する４枚の扉２１、２２、２３、２４とから構成されており、４枚の扉２１、２２、２３、２４は、同図（ｂ）に一点鎖線で示すように、隣接する２枚の扉２１、２２及び２３、２４がそれぞれ観音開きになるように、即ち、開閉支点となる基端部同士または先端部同士が隣り合うように、筐体１０に取り付けられている。
【００１３】
また、扉２１には、図１（ａ）に示すように、筐体１０内に組み込まれたメインブレーカによって電源回路を遮断しなければ開くことができないように、ブレーカハンドル３０が取り付けられており、このブレーカハンドル３０を操作することによって、電源回路を遮断した後、閉状態でロックされた扉２１のロック状態を解除することで、扉２１を開くことができる状態となる。そして、ブレーカハンドル３０が取り付けられたこの扉２１が基準扉となる。
【００１４】
隣接する４枚の扉２１、２２、２３、２４のうち、外側の扉２２、２４は、図２（ａ）、（ｂ）に示すように、ヒンジ１５、１７を介して筐体１０に開閉可能に取り付けられており、筐体１０と扉２２、２４とが直接接触しないように、扉２２、２４の内面には、扉２２、２４を閉じたときに筐体１０に接触するクッション材２５、２５が取り付けられている。
【００１５】
一方、内側の扉２１、２３は、図２（ｃ）に示すように、筐体１０の前面開口部に支持された枠部材１１にそれぞれヒンジ１４、１６を介して開閉可能に取り付けられており、枠部材１１には補強材１１ａ、１１ｂが固着されている。また、開閉支点となる双方の扉２１、２３の基端部には、双方の扉２１、２３を閉じた状態で、他方の扉２３、２１の基端部側に張り出して相互に当接する当接部２１ｂ、２３ｂがそれぞれ設けられており、この当接部２１ｂ、２３ｂが相互に当接することによって、同図に一点鎖線で示すように、扉２１が開いた状態でなければ、隣接する扉２３を開くことができないようになっている。
【００１６】
また、観音開きとなる２組の扉２１、２２の先端部及び扉２３、２４の先端部には、図３（ａ）、（ｂ）に示すように、扉を閉じた状態で相互に当接する当接部２１ａ、２２ａ及び当接部２３ａ、２４ａがそれぞれ設けられており、この当接部２１ａ、２２ａ及び当接部２３ａ、２４ａが相互に当接することによって、同図に一点鎖線で示すように、内側の扉２１、２３が開いた状態でなければ、外側の扉２２、２４を開くことができないようになっている。
【００１７】
また、筐体１０の前面開口部には、観音開きとなる２組の扉２１、２２の先端部及び扉２３、２４の先端部が当接する枠部材１２、１３がそれぞれ取り付けられており、枠部材１２及び枠部材１３には、補強材１２ａ、１２ｂ及び補強材１３ａ、１３ｂがそれぞれ固着されている。なお、枠部材１２及び枠部材１３には、対応する扉２１、２２及び扉２３、２４が直接当接しないように、各扉２１、２２、２３、２４の先端部には、その内面に、扉を閉じたときに枠部材１２、１３に接触するクッション材２５、２５、２５、２５がそれぞれ固着されている。
【００１８】
以上のように構成された制御盤１は、図４（ａ）に示すように、全ての扉２１、２２、２３、２４を閉じた状態では、ブレーカハンドル３０のロック機構によって、扉２１が閉状態にロックされると共に、当接部２１ａ、２２ａ、当接部２３ａ、２４ａ及び当接部２１ｂ、２３ｂがそれぞれ当接することによって、他の扉２２、２３、２４も閉状態にロックされる。
【００１９】
このようにして閉状態にロックされた制御盤１の扉２１、２２、２３、２４を開く場合は、ブレーカハンドル３０を操作することで、電源回路を遮断した後、基準扉である扉２１のロックを解除すると、この扉２１は、その当接部２１ａ、２１ｂが隣接する扉２２、２３の当接部２２ａ、２３ｂと当接した状態であっても、開動作が規制されていないので、直ちに開くことができる状態となる。
【００２０】
ここで、同図（ｂ）に示すように、基準扉である扉２１を開くと、扉２１に隣接する扉２２、２３の開動作を規制していた当接部２１ａ、２２ａ及び当接部２１ｂ、２３ｂの当接状態がそれぞれ解除されるので、基準扉に隣接する扉２２、２３を開くことができる状態となる。
【００２１】
次に、同図（ｃ）に示すように、扉２２、２３を開くと、扉２３に隣接する扉２４の開動作を規制していた当接部２３ａ、２４ａの当接状態が解除されるので、扉２４を開くことができる状態となり、同図（ｄ）に示すように、全ての扉２１、２２、２３、２４を開くことができる。
【００２２】
つまり、この制御盤１では、ブレーカハンドル３０によって電源回路を遮断して基準扉である扉２１を開くと、この基準扉側から順に隣接している扉２２、２３、２４を次々に開くことができるが、電源回路を遮断しない状態では、基準扉（扉２１）を開くことができないので、閉状態で相互に当接している当接部２１ａ、２２ａ、当接部２３ａ、２４ａ及び当接部２１ｂ、２３ｂの当接状態を解除することができず、結局、いずれの扉を開くこともできないことになる。
【００２３】
以上のように、この制御盤１では、基準扉である扉２１にブレーカハンドル３０を取り付けると共に、各扉２１、２２、２３、２４の基端部や先端部に、閉状態で相互に当接する当接部２１ａ、２１ｂ、２２ａ、２３ａ、２３ｂ、２４ａを設けるといった簡単な構成によって、電源回路が遮断されていない状態における各扉２１、２２、２３、２４の開動作を確実に阻止することができる。
【００２４】
従って、従来の制御盤のように、３枚目以降の扉のロック状態をブレーカハンドルを取り付けた基準扉のロック状態に連動させるために電動ロック装置等を設置する必要がなく、従来の制御盤に比べて廉価に製造することができると共に、従来の制御盤のように、設置した電動ロック装置の誤作動に伴って、電源回路が遮断されていないにも拘わらず、いずれかの扉が開いてしまうといった不測の事態が発生することもなく、安全性に対する信頼性も向上する。
【００２５】
なお、上述した実施形態では、２組の観音開きの扉を有する制御盤について説明したが、これに限定されるものではなく、例えば、１組の観音開きの扉とこれに隣接する単一の扉とを備えた制御盤のように、開閉支点となる基端部同士または先端部同士が隣り合うように順次配設された３枚以上の隣接する扉を備えた制御盤について、本発明を適用することができる。
【００２６】
ただし、ブレーカハンドルが取り付けられた基準扉以外の扉は、それぞれの扉に設けられた当接部が、基準扉側に隣接している扉に設けられた当接部と当接することによって、その開動作が阻止されるようになっている必要がある。
【００２７】
また、上述した実施形態では、工作機械に設置される制御盤について説明したが、これに限定されるものではなく、本発明は、種々の機器を制御するために設置される制御盤について適用することができることはいうまでもない。
【００２８】
また、各扉に設ける当接部は、上述した実施形態のようなものに限定されるものではなく、ブレーカハンドルが取り付けられた基準扉側に隣接している扉に設けられた当接部と当接することによって、その開動作が阻止されるようになっているのであれば、種々の形態のものを採用することができる。
【図面の簡単な説明】
【図１】  （ａ）はこの発明にかかる制御盤の一実施形態を示す正面図、（ｂ）は同上の制御盤を示す平面図である。
【図２】  （ａ）、（ｂ）は外側の扉の筐体への取付状態をそれぞれ示す詳細図、（ｃ）は内側の２枚の扉の筐体への取付状態を示す詳細図である。
【図３】  （ａ）、（ｂ）は閉じた状態における観音開きの２枚の扉の先端部を示す詳細図である。
【図４】  （ａ）は同上の制御盤における全ての扉を閉じた状態を示す状態図、（ｂ）〜（ｄ）は、扉の開き方を説明するための説明図である。
【符号の説明】
１  制御盤
１０  筐体
１１、１２、１３  枠部材
１１ａ、１１ｂ、１２ａ、１２ｂ、１３ａ、１３ｂ  補強材
１４、１５、１６、１７  ヒンジ
２１、２２、２３、２４  扉
２１ａ、２１ｂ、２２ａ、２３ａ、２３ｂ、２４ａ  当接部
２５  クッション材
３０  ブレーカハンドル
【図１】
0004503156.tif 000002
【図２】
0004503156.tif 000003
【図３】
0004503156.tif 000004
【図４】
0004503156.tif 000005